(57)【特許請求の範囲】
【請求項１】
駆動手段により回転されて光学ピックアップ装置を移動させるリードスクリュー軸と、
ベース部材に一体に形成された上記リードスクリュー軸の一方の側の先端部を支持する第１の軸受部と、
上記ベース部材に一体に形成された上記リードスクリュー軸の他方の側の先端部を支持する第２の軸受部と、
上記ベース部材に一体に形成された上記第２の軸受部と対向する基台と、
上記基台に固定される取付け部と上記第２の軸受部側の上記リードスクリュー軸の先端を上記第１の軸受部方向に付勢する付勢手段を有するスラスト部材とを備え、
上記スラスト部材の付勢手段は、上記基台の側壁と対向するように配設されていることを特徴とする光学ピックアップ装置の移送機構。
【請求項２】
上記スラスト部材は、上記リードスクリュー軸を上記第２の軸受部において、下方に付勢するさらなる付勢手段を有することを特徴とする請求項１記載の光学ピックアップ装置の移送機構。
【発明の詳細な説明】
【０００１】
【発明の属する技術分野】
本発明は、光ディスク又は光磁気ディスク等のディスクの光学ディスクプレーヤに取り付けられる光学ピックアップ装置の移送機構に関する。
【０００２】
【従来の技術】
光学ディスクプレーヤは、スピンドルモータによって回転駆動されるディスクテーブルを有し、このディスクテーブル上にコンパクトディスク等の光学的に記録された情報信号が読み出される光ディスクが装着される。そして、光学ディスクプレーヤは、光ディスクがディスクテーブルに装着されると、回転操作されると共に、半導体レーザを内蔵した光学ピックアップ装置が光ディスクの内周側から外周側に亘って光ディスクに形成された記録トラックの径方向に走行され、上記半導体レーザから出射されたレーザビームを光ディスクの下面側から垂直に照射して記録トラックをトラッキングし、この記録トラックに記録された所定の情報信号が読み取られ再生される。
【０００３】
このような光学ディスクプレーヤにおいて、この光学ピックアップ装置は、シャーシにハウジングを介して一体に取り付けられた駆動モータとりギヤを介してスクリュー軸が回転されることにより移動される。そして、このスクリュー軸は、先端部が軸受に回転自在に支持されている。
【０００４】
例えば、光学ディスクプレーヤの移送機構１００は、図６に示すように、シャーシ１０１と、光学ピックアップ装置が取り付けられるスクリュー軸１０２と、このスクリュー軸１０２を両端部で支持する支持部材１０３と、スクリュー軸１０２を支持部材１０３の一方に付勢する弾性部材１０４とを備える。
【０００５】
シャーシ１０１は、光学ディスクプレーヤのディスクテーブルの内外周に亘って切り欠かれて形成された切欠部に取り付けられ、光学ピックアップ装置を移動させる様々な部材が配設される。そして、このシャーシ１０１には、光学ピックアップ装置の対物レンズを外方に臨ませる図示しないピックアップ用開口部が開設されている。さらには、このシャーシ１０１には、支持部材１０３を取り付けるために穿設されたネジ穴１０５と、弾性部材１０４を取り付けるためのネジ穴１０６が穿設されている。
【０００６】
また、このシャーシ１０１には、スクリュー軸１０２が支持される支持部材１０３が取り付けられる。この支持部材１０３は、全体として略「コ」字状を呈して形成されており、基部１０７と、この基部１０７の両端に設けられた軸受部１０８（１０８ａ、１０８ｂ）とから構成される。そして、この基部１０７には、長辺方向の両端にネジ穴１０９が穿設されている。このネジ穴１０９には、この支持部材１０３を固定するための固定ネジ１１０が挿通され、支持部材１０３がシャーシ１０１のネジ穴１０５にネジ止めされることにより固定される。また、軸受部１０８には、互いに向かい合う面の中央に軸穴１１１（１１１ａ、１１１ｂ）が設けられている。軸穴１１１ａは、軸受部１０８ａ側に設けられ、非貫通とされ、軸穴１１１ｂは、軸受部１０８ｂ側に設けられ、貫通されている。したがって、この軸穴１１１は、軸穴１１１ｂからはスクリュー軸１０２の一方の先端部が外方に露呈された状態で、スクリュー軸１０２を支持する。
【０００７】
スクリュー軸１０２は、ウォームとして構成されており、この両端部が軸受部１０８の軸部１１１に嵌合される。そして、このスクリュー軸１０２と対をなすウォームホイールは、図示しない光学ピックアップ装置に構成されている。また、スクリュー軸１０２の一方の端部には、駆動モータからの駆動力を伝達する伝達ギヤ１１２が圧入されている。したがって、光学ピックアップ装置は、スクリュー軸１０２が駆動モータより駆動伝達されて回転されると、軸線方向に移動される。
【０００８】
弾性部材１０４は、上記軸穴１１１ｂより外方に露呈されたスクリュー軸１０２の先端部を軸穴１１１ａの方向に押圧するように、支持部１１３と弾性部１１４とから構成される。そして、支持部１１３には、ネジ穴１１５が穿設されており、止めネジ１１６が挿通され、シャーシ１０１のネジ穴１０６にネジ止めされることにより弾性部材１０４をシャーシ１０１の所定位置に固定する。また、弾性部１１４は、軸線方向に弾性変位するように形成されている。そして、このように構成された弾性部材１０４は、シャーシ１０１に取り付けられると、弾性部１１４がスクリュー軸１０２の軸穴１１１ｂより露出した一方の端部に突き当てられ、軸穴１１１ａ方向に押圧する。
【０００９】
このように構成される移送機構１００は、先ずスクリュー軸１０２の一方の端部が軸穴１１１ａに嵌合された後、スクリュー軸１０２の他方の端部が軸穴１１１ｂに挿通される。そして、その後、弾性部材１０４が取り付けられ、スクリュー軸１０２を軸穴１１１ａ方向に押圧する。したがって、スクリュー軸１０２は、弾性部材１０４により軸穴１１１ａ方向に押圧されていることから、支持部材１０３に回転可能な状態で取り付けられる。
【００１０】
このような光学ピックアップ装置の移送機構１００を有する光学ディスクプレーヤは、ディスクテーブルに光ディスクが配置されると、光ディスクに光学ピックアップ装置の対物レンズより出射されたレーザビームが照射され、記録トラックをトラッキングし、この記録トラックに記録された所定の情報信号を読み取る。
【００１１】
【発明が解決しようとする課題】
しかしながら、上記光学ピックアップ装置の移送機構１００においては、スクリュー軸１０２を支持するのに、別部材として支持部材１０３を用いてシャーシ１０１に取り付けなければならない。そのため、光学ピックアップ装置の移送機構１００を組み立てるに際して、組立て時間がかかり生産効率を上げることができず、また、生産コストを抑えることができなかった。
【００１２】
また、光学ディスクプレーヤは、携帯性の向上を図るために小型化をしていく上で、スクリュー軸１０２を支持するのに別部材として支持部材１０３を用いることは妨げとなっていた。
【００１３】
そこで、本発明は、生産効率の向上を図ると共に、光学ディスクプレーヤの小型化を図ることのできる光学ピックアップ装置移送機構を提供することを目的とする。
【００１４】
【課題を解決するための手段】
本発明に係る光学ピックアップ装置移送機構は、上述のような課題を解決すべく、駆動手段により回転されて光学ピックアップ装置を移動させるリードスクリュー軸と、ベース部材に一体に形成されたリードスクリュー軸の一方の側の先端部を支持する第１の軸受部と、ベース部材に一体に形成されたリードスクリュー軸の他方の側の先端部を支持する第２の軸受部と、ベース部材に一体に形成された第２の軸受部と対向する基台と、基台に固定される取付け部と第２の軸受部側のリードスクリュー軸の先端を第１の軸受部方向に付勢する付勢手段を有するスラスト部材とを備え、スラスト部材の付勢手段は、基台の側壁と対向するように配設されている。
【００１５】
以上のように構成された光学ピックアップ装置移送機構は、リードスクリュー軸の先端が付勢手段により着実に第１の軸受部側に付勢させる。したがって、リードスクリュー軸は、着実に回転され、光学ピックアップ装置を移動される。また、第１及び第２の軸受部は、ベース部材と一体に形成されていることから部品点数の削減が図られる。さらに、リードスクリュー軸の先端を付勢するスラスト部材の付勢手段は、基台の側壁がストッパーとなり、衝撃、落下等によって生じるへたりが防止される。
【００１６】
【発明の実施の形態】
以下、本発明に係る光学ピックアップ装置移送機構について図面を参照しながら詳細に説明する。この光学ピックアップ装置移送機構は、例えば図１に示すように、光学ディスクプレーヤ１の光学ピックアップ装置２の移送機構として適用される。そして、この光学ディスクプレーヤ１は、直径が１２ｃｍに設定されたコンパクトディスク等の光学ディスク３が装着され、そして、光学ディスクプレーヤの携帯性に優れたものとするため、小型化が図られている。
【００１７】
この光学ディスクプレーヤ１は、プレーヤ本体を構成する外筐体４の内周形状を、このプレーヤで再生される光学ディスク３の外周径を内周円となす形状で形成しディスク載置部５を構成し、前面側が光学ディスク３の外形形状と同じくされた円弧状を呈し、背面側が平面状に形成されている。そして、この光学ディスクプレーヤ１は、図示しないがディスク載置部５を開閉自在に閉塞する蓋体が取り付けられている。この光学ディスクプレーヤ１には、外筐体４の表面に図示しない光学ディスクプレーヤ１の操作部を構成するパワースイッチ操作釦、プレイ釦、ポーズ釦、次曲選曲釦等の操作釦及び演奏曲番地等を表示する表示部が設けられる。
【００１８】
そして、ディスク載置部５を構成するシャーシ基板９には、第１の開口部１０が外筐体４の平面状に形成された背面側の外壁に対し傾斜し、且つ、ディスク載置部５の中央領域から放射方向にされている。この第１の開口部１０には、この第１の開口部１０と同様の形状をしたベース部材１１が配設される。このベース部材１１は、その内部に空間部が構成されており、第１の開口部１０に取り付けられた際にディスク載置部５の中心に対応する領域にディスク回転駆動機構が配設され、その他の領域には、光学ピックアップ装置２と光学ピックアップ装置をディスク回転駆動機構から放射状に移動させる、すなわちディスク載置部５に載置された光学ディスク３の内外周に亘って移動させる移送機構２０が配設される。
【００１９】
このディスク回転駆動機構は、ベース部材１１が第１の開口部１０に配設された際に、ディスク載置部５の略中心にスピンドル６の軸心を略一致させるように配置され、このスピンドル６の先端側に光学ディスク３が載置されるディスクテーブル７が一体的に取り付けられている。このディスクテーブル７には、光学ディスク３の中央領域に穿設されたセンタ穴と略同径に形成された円形形状をしたチャッキング部材８が構成されている。このチャッキング部材８は、光学ディスク３がディスク載置部５に載置された際に、光学ディスク３のセンタ穴に嵌合される。そして、スピンドル６は、ベース部材１１の下面側に取り付けられた軸受けに挿通され、回転可能に軸支され、図示しないディスク回転駆動モータに接続されている。したがって、ディスク回転駆動機構は、ディスク載置部５に光学ディスク３が載置され、光学ディスク３のセンタ穴にチャッキング部材８が嵌合されると、ディスク回転駆動モータより回転駆動力がスピンドル６を介してディスクテーブル７に伝達され、光学ディスク３を回転させる。
【００２０】
また、ベース部材１１には、外筐体４の平面状に形成された背面側の外壁に対し傾斜し、且つ、ディスクテーブル７から放射方向となるようにピックアップ用開口部１２が方形状を呈して開口されている。このピックアップ用開口部１２は、光学ピックアップ装置２の対物レンズ１３を外方に臨まさせる。このピックアップ用開口部１２は、光学ピックアップ装置が光学ディスク３の内外周に亘って径方向に移動できるように、ディスクテーブル７から外筐体４の外壁に亘って開口されている。そして、このベース部材１１には、その内部に光学ピックアップ装置２を光学ディスク３の内外周、すなわち径方向に亘って移動させる移送機構２０が構成される。
【００２１】
この光学ピックアップ装置２は、その筐体を構成するハウジング１４の略中央領域に光学系ブロック部が構成される。そして、この光学系ブロック部は、レーザビームを集束して光学ディスク３の信号記録面に直交するように、すなわち、ディスクテーブル７に載置された光学ディスク３面に平行に半導体レーザから出射させ、このレーザビームを反射鏡によって偏向させて、１／４波長板を介して対物レンズ１３に導出するように構成されている。したがって、この光学ピックアップ装置２は、レーザビームが対物レンズ１３の光軸に直交する方向に出射されるように半導体レーザをハウジング１４の端部に取り付け、上記レーザビームを信号読み取り用のメインビームとトラッキングサーボ用の２本のサブビームに分離する回析格子、光学ディスク３から反射された戻りビームを平行光に制御するコリメートレンズ等からなる光学系ブロック部を、その光軸が対物レンズ１３の光軸と直交するようにしてハウジング１４に組み込まれている。また、ビームスピリッタによりにより９０度方向に反射される光学ディスク３に記録された情報信号を読み取った戻り光ビームをフォトディテクタに導出する中間レンズ、円筒レンズ１４等からなる光学系ブロック部の光軸も対物レンズ１３の光軸に直交するようにハウジング１４に組み込まれる。
【００２２】
そして、このような光学ピックアップ装置は、次のような移送機構２０によりピックアップ用開口部１２を長辺方向に移動される。この移送機構２０は、例えば図２乃至図５に示すように、ベース部材１１の内側で、且つピックアップ用開口部１２の長辺方向に略平行して構成され、光学ピックアップ装置２を移動させるリードスクリュー軸２１と、リードスクリュー軸２１を支持する第１の軸受け部２２、第２の軸受部２３と、リードスクリュー軸２１を第１の軸受部２２方向に付勢するスラスト部材２４と、光学ピックアップ装置２をガイドするガイド機構２５とを備える。
【００２３】
このリードスクリュー軸２１は、図２に示すように、上記ピックアップ用開口部１２の長辺方向の長さ寸法よりやや大とされた長さ寸法を有して形成される。そして、このリードスクリュー軸２１は、その両端に上記第１の軸受け部２２に取り付けられる先端部２６と、第２の軸受部２３に取り付けられる先端部２７と、先端部２６、２７に挟まれてウォーム部２８が構成されている。これら先端部２６、２７は、ウォーム部２８の太さよりやや細く形成されている。そして、先端部２７には、光学ピックアップ装置２を移動させる駆動源たる駆動モータ２９の歯車３０より駆動力が伝達される伝達ギヤ３１が圧入されている。また、ウォーム部２８は、光学ピックアップ装置２の移動領域と等しい、或いはそれ以上の長さを有して形成されている。
【００２４】
そして、このウォーム部２８は、図４に示すように、光学ピックアップ装置２のハウジング１４に構成されたウォームホイール部３２と歯合する。このウォームホイール部３２は、ハウジング１４の上記光学ブロック部が構成されない一の側縁にリードスクリュー軸２１を覆うようにして立設された立上がり壁３３の内側に突き出して形成された凸部により構成されている。したがって、光学ピックアップ装置２は、リードスクリュー軸２１が回転されると、その軸線方向に移動される。
【００２５】
また、このリードスクリュー軸２１が支持される第１、第２の軸受部２２、２３は、ベース部材１１の内側に形成され、このベース部材１１のピックアップ用開口部１２の短辺方向の近傍にリブ状に設けられている。そして、第１の軸受部２２は、上記ベース部材１１に配設されるディスクテーブル７が形成されない側のピックアップ用開口部１２の短辺方向の近傍に形成されており、その中央部にリードスクリュー軸２１側の面と上面が開放された凹部３４が切り欠かれて形成されている。したがって、この凹部３４には、リードスクリュー軸２１の先端部２６が上面側から挿入され、その周壁に突き当てられた状態で取り付けられる。このように第１、第２の軸受け部２２、２３は、ベース部材１１の内側に一体に設けられていることから、移送機構２０の部品点数の削減、移送機構２０の簡素化、小型化を図ることができる。
【００２６】
また、第２の軸受部２３は、上記ベース部材１１に配設されるディスクテーブル７側のピックアップ用開口部１２の短辺方向の近傍に形成されており、その中央部にＵ字状の凹部３５が形成され、リードスクリュー軸２１の先端部２７が上面側より挿入され、先端部２７が凹部３５を貫通した状態で取り付けられている。また、この際には、リードスクリュー軸２１の先端部２７に圧入された伝達ギヤ３１が第２の軸受部２３の外側となるように取り付けられる。
【００２７】
また、上記第２の軸受部２３側には、図２に示すように、リードスクリュー軸２１を第１の軸受部２２方向に付勢するスラスト部材２４が基台３６に取り付けられる。そして、このスラスト部材２４は、基台３６へ固定される取付け部３７と、この取付け部３７に垂直に下方向に設けられた第１の弾性部３８と、取付け部３７から同一平面上に曲折して設けられた第２の弾性部３９とから構成される。この取付け部３７は、その両側縁に設けられた切欠部４０（４０ａ、４０ｂ）と、第２の軸受部２３に並んで設けられた基台３６の両端部に設けられた凸部４１（４１ａ、４１ｂ）とが嵌合されて取り付けられる。そして、この取付け部３７には、その略中央にねじ穴４２が穿設されており、基台３６に設けられた固定穴４３にビス４４が填め込まれることによりスラスト部材２４が固定される。
【００２８】
第１の弾性部３８は、取付け部３７の面に平行して弾性変位するように構成されており、スラスト部材２４が基台３６に固定された際に、リードスクリュー軸２１の先端部２７に突き当てられるとともに、基台の側壁と対向する。したがって、この第１の弾性部３８は、リードスクリュー軸２１を第１の軸受部２２の方向に付勢し、リードスクリュー軸２１が第１の軸受部２２より外れにくくされている。また、この第１の弾性部３８は、図３に示すように、その下側の側縁部５１が曲折して形成され、スラスト部材２４の基台３６への取付け操作を容易としている。
【００２９】
また、第２の弾性部材３９は、図３に示すように、その先端方向がリードスクリュー軸２１の先端部２７の上に重なるように構成されている。そして、この第２の弾性部材３９の先端部の下側に、すなわち、リードスクリュー軸２１の先端部２７に重なる部分に突部４５が設けられている。また、この第２の弾性部材３９は取付け部３７の面に垂直方向に弾性変位するように形成されている。したがって、第２の弾性部３９は、リードスクリュー軸２１を第２の軸受部２３の下方向に付勢することにより、先端部２７が第２の軸受部２３より外れにくく構成されている。
【００３０】
また、ガイド機構２５は、図５に示すように、ベース部材１１の内側であって、ピックアップ用開口部１２を挟んでリードスクリュー軸２１が配設されない側の立上がり壁に形成されたガイド溝部４６と光学ピックアップ装置２のハウジング１４の側縁部に形成されたガイド部４７とから構成される。そして、このベース部材１１に形成されたガイド溝部４６は、ピックアップ用開口部１２及びリードスクリュー軸２１に平行に形成されている。そして、ガイド溝部４６には、凹部４８（４８ａ、４８ｂ）が上下に形成されており、この凹部４８にガイド部４７の形成された凸部４９（４９ａ、４９ｂ）が嵌合される。これにより、光学ピックアップ装置２は、上記リードスクリュー軸２１と共にガイド機構２５により支持されて、ピックアップ用開口部１２を長辺方向に移動する。
【００３１】
このように構成される移送機構２０は、次のように駆動される。すなわち、この移送機構２０により光学ピックアップ装置２は、図１及び図４に示すように上記リードスクリュー軸２１に隣り合って、且つ、ピックアップ用開口部１２の反対側に配設された駆動モータ２９と、この駆動モータ２９の支軸に取り付けられた歯車３０と、この歯車３０に歯合される伝達ギヤ５０と、この伝達ギヤ５０に歯合され、上記伝達ギヤ５０に歯合され、リードスクリュー軸２１に圧入される伝達ギヤ３１とにより駆動される。そして、これにより光学ピックアップ装置２は、ピックアップ用開口部１２を長辺方向に自在に移動される。この際、リードスクリュー軸２１は、上記スラスト部材２４の第１の弾性部３８により第１の軸受部２２方向に付勢されていることから、着実に駆動モータ２９からの駆動力が伝達されることにより回転され、そして、第２の弾性部材３９の突起４５で下方向に付勢されていることから、上方向への浮きが防止され、着実に駆動モータ２９からの駆動力が伝達され回転される。したがって、このような移送機構２０が適用された光学ディスクプレーヤ１は、ディスクテーブル７に光学ディスク３が配置されると、光学ディスク３に光学ピックアップ装置２の対物レンズ１３より出射されたレーザビームが正確に照射され、記録トラックをトラッキングし、この記録トラックに記録された所定の情報信号を読み取ることができる。
【００３２】
なお、以上、移送機構２０は、携帯型の光学ディスクプレーヤ１について詳細に説明したが、これに限定されるものではなく、光ディスク、光磁気ディスク等の光学ディスクのディスクプレーヤに適用できることは勿論である。また、光学ディスクプレーヤは、光学ディスクが矩形形状を呈した光ディスクや光磁気ディスクに収納したディスクカートリッジを記録媒体として用いても良いのは勿論である。
【００３３】
【発明の効果】
本発明に係る光学ピックアップ装置移送機構によれば、リードスクリュー軸の先端が第１の付勢手段により着実に第１の軸受部側に付勢されている。したがって、リードスクリュー軸は、着実に回転され、光学ピックアップ装置を移動させることができる。また、光学ピックアップ装置移送機構は、ベース部材と一体に形成された第１及び第２の軸受部とスラスト部材により着実にリードスクリュー軸を回転自在に支持できることから、部品点数を削減でき、また、生産効率の向上を図ることができる。さらに、リードスクリュー軸の先端を付勢するスラスト部材の付勢手段は、基台の側壁がストッパーとなり、衝撃、落下等によって生じるへたりが防止される。
【図面の簡単な説明】
【図１】  本発明に係る光学ピックアップ装置移送機構が適用された光学ディスクプレーヤの平面図である。
【図２】  同光学ディスクプレーヤに適用された光学ピックアップ装置移送機構の分解斜視図である。
【図３】同光学ディスクプレーヤに適用された光学ピックアップ装置移送機構の縦断面図である。
【図４】  同光学ディスクプレーヤに適用された光学ピックアップ装置移送機構の平面図である。
【図５】  同光学ディスクプレーヤに適用された光学ピックアップ装置をガイドするガイド機構の要部斜視図である。
【図６】  従来の光学ディスクプレーヤの移送機構の分解斜視図である。
【符号の説明】
１  光学ディスクプレーヤ、２  光学ピックアップ装置、３  光学ディスク、４  外筐体、５  ディスク載置部、６  スピンドル、７  ディスクテーブル、８  チャッキング部材、９  シャーシ部材、１０  開口部、１１  ベース部材、１２  ピックアップ用開口部、１３  対物レンズ、１４  ハウジング、２０  移送機構、２１  リードスクリュー軸、２２  第１の軸受部、２３  第２の軸受部、２４  スラスト部材、２５  ガイド機構、２６  先端部、２７  先端部、２８  ウォーム部、２９  駆動モータ、３０  歯車、３１  伝達ギヤ、３２  ウォームホイール部、３３  立上がり壁、３４  凹部、３５  凹部、３６  基台、３７  取付け部、３８  第１の弾性部、３９  第２の弾性部、４０  切欠部、４１  凸部、４２  ネジ穴、４３  固定穴、４４  ビス、４５  突部、４６  ガイド溝部、４７  ガイド部、４８  凹部、４９  凸部 、５１  側縁部
【図１】
0003704802.tif 000002
【図２】
0003704802.tif 000003
【図３】
0003704802.tif 000004
【図４】
0003704802.tif 000005
【図５】
0003704802.tif 000006
【図６】
0003704802.tif 000007